(57)【要約】      （修正有）【課題】利便性が高く、収納及び取り出しがスムーズであり、マスクを収納しても嵩張らないマスクケースを提供する。【解決手段】マスクケースはマスクケース本体１からなる。両耳掛け部を突出させた状態で、マスク本体を二つ折り様態で収納するように構成された横長の収納部２と、収納部２の一長辺側縁から延設され、マスク本体を二つ折り様態で収納した収納部２を閉止する閉止部とを備え、収納部２は幅方向の適宜位置で、収納部２の両長辺側縁が互いに接近するように二つ折り可能になしてあり、収納部２の二つ折りされた稜線上に、収納部２にマスク本体が収納されたマスクの両耳掛け部を係止させる貫通孔５が設けてあり、閉止部は、二つ折りされた収納部２の両長辺側縁の間を覆うように屈曲可能に構成してある。【選択図】図１
0003228727.tif 000002
【実用新案登録請求の範囲】
【請求項１】
使用者の鼻口を被覆する横長のマスク本体の両短辺側縁にそれぞれ、使用者の耳に掛け廻す耳掛け部を設けてなるマスクを収納するマスクケースにおいて、
両耳掛け部を突出させた状態で、前記マスク本体を二つ折り様態で収納するように構成された横長の収納部と、該収納部の一長辺側縁から延設され、マスク本体を二つ折り様態で収納した収納部を閉止する閉止部とを備え、
前記収納部は幅方向の適宜位置で、当該収納部の両長辺側縁が互いに接近するように二つ折り可能になしてあり、収納部の二つ折りされた稜線上に、当該収納部にマスク本体が収納されたマスクの両耳掛け部を係止させる係止部が設けてあり、
前記閉止部は、二つ折りされた収納部の両長辺側縁の間を覆うように屈曲可能に構成してある
ことを特徴とするマスクケース。
【請求項２】
前記収納部は、前記マスク本体を挟持するための収納部本体の両短辺側縁にそれぞれ、マチ部を突設してなり、
マチ部の前記稜線の延長線上には第１山折り部が、またマチ部と前記収納部本体との境界には第１谷折り部がそれぞれ設けてあり、
収納部本体の前記稜線は第２谷折り部になしてある
請求項１記載のマスクケース。
【請求項３】
前記閉止部と収納部本体との境界に、前記第２谷折り部と平行をなす第３谷折り部及び第４谷折り部を設けて、マスク本体を二つ折り様態で収納した収納部における背部が形成してある請求項２記載のマスクケース。
【請求項４】
前記閉止部の長辺側縁から適宜距離隔てた位置に、前記第２谷折り部と平行をなす第５谷折り部を設けて、使用者の指を係止するための指掛け部が屈曲可能に形成してある請求項２又は３記載のマスクケース。
【請求項５】
前記収納部本体の両短辺側縁間の寸法は、収納部本体の両長辺側縁から第２谷折り部へ向かうに連れて漸次短くしてあり、
前記マチ部は扇形状になしてあり、
前記閉止部の両短辺側縁は、二つ折りされた収納部本体の第１谷折り部に一致するテーパになしてある
請求項２から４のいずれかに記載のマスクケース。
【請求項６】
前記係止部は収納部本体を貫通する貫通孔にて構成してある
請求項１から５のいずれかに記載のマスクケース。
【請求項７】
前記貫通孔の周縁であって、収納部本体の短辺側縁に対向する領域には、耳掛け部を係合させるための段差部、及び段差部への係合が解除された耳掛け部を貫通孔の外へ案内する案内部が設けてある請求項６記載のマスクケース。
【考案の詳細な説明】
【技術分野】
【０００１】
本考案は、ヒトが使用するマスクを収納するマスクケースに関する。
【背景技術】
【０００２】
新型コロナウイルスというように、ヒト病原性を有する新規なウイルスが蔓延する機会が増大しているが、これに対抗する手段としてマスクの着用が有効であるとされている。しかし、飲食時等にあっては、使用者はマスクを外さなければならないが、外したマスクを再び着用するために、使用者は飲食を行う間、外したマスクを衛生的に保持する必要がある。
【０００３】
そのため、後述する特許文献１には次のようなマスクケースが開示されている。
図８は、特許文献１に開示されたマスクケースを収納するマスクと共に示す展開図であり、図中、２００は外側ケースを、１００は内側ケースを示している。
【０００４】
図８に示したように、マスクケースは外側ケース２００内に内側ケース１００が開閉自在に挟持収納されるように構成してあり、更に、内側ケース１００内に、抗菌性を有する長方形の紙片を二つ折りしてなる保護シートで挟持されたマスクが開閉自在に挟持されている。内側ケース１００は略長方形の紙片を短辺の長手方向の中央位置で二つ折りしてなり、その一方の面に切り込みを入れて設けた一対の引っ掛け部１０２，１０２にそれぞれ、マスクの耳掛け部Ｍ２，Ｍ２が引っ掛けてある。
【０００５】
一方、外側ケース２００は、内側ケース１００の幅寸法より少し大きい幅寸法の帯状紙片を長手方向へ３つ折りしてなり、中間に位置する第１主シート２０１の一長辺側縁に第２主シート２０２が、また第１主シート２０１の他長辺側縁に第３押え部２０３が延設されている。第１主シート２０１上には前述した内側ケース１００が載置されるようになっているが、第１主シート２０１の両短辺にはこの内側ケース１００を押える耳状の第１押え部２１０，２１０がそれぞれ突設してある。
【０００６】
第２主シート２０２の第１主シート２０１とは反対側の長辺に突設した円弧片状のフラップ部２０４には、前述した第１主シート２０１に設けた係止孔（図示せず）に係止する係止舌片２０５が切り込みによって設けてある。また、第２主シート２０２の両辺には、内側ケース１００を挟持した第１主シート２０１及び第３押え部２０３を押える耳状の第２押え部２２０，２２０がそれぞれ突設してある。なお、第２主シート２０２には二つ折りした予備の保護シート３００が着脱可能に取り付けてある。
【０００７】
そして、二つ折りしてなる保護シートによってマスクを挟持した状態で、当該保護シート及びマスクの本体を内側ケース１００によって挟持し、当該マスクの耳掛け部Ｍ２，Ｍ２を内側ケース１００の引っ掛け部１０２，１０２に引っ掛ける。このとき、内側ケース１００の一方の側の両短辺縁部に互いに距離を隔てて設けた切欠き部１０３，１０３、１０３，１０３に対応する耳掛け部Ｍ２，Ｍ２を内嵌させることによって、耳掛け部Ｍ２，Ｍ２がずれないようになっている。
【０００８】
このように保護シート及びマスクを挟持した内側ケース１００を、外側ケース２００の第１主シート２０１上に載置し、第１主シート２０１の両短辺に設けられた第１押え部２１０，２１０を内側に折って当該内側ケース１００を押さえる。次に、第３押え部２０３を内側に折って第１押え部２１０，２１０及び内側ケース１００を押さえ、この状態で第１主シート２０１を第２主シート２０２上へ折って、第２主シート２０２の両短辺に設けられた第２押え部２２０，２２０をそれぞれ内側に折って当該第１主シート２０１を押さえる。そして、フラップ部２０４を内側に折って、係止舌片２０５を第１主シート２０１に設けた係止孔（図示せず）に係止させることによって、外側ケース２００内に、保護シート及びマスクの本体を挟持した内側ケース１００を収納する。
【先行技術文献】
【特許文献】
【０００９】
【特許文献１】実用新案登録第３２２２１０３号公報
【考案の概要】
【考案が解決しようとする課題】
【００１０】
しかしながら、このようなマスクケースにあっては、マスクの本体を挟持収納させた保護シートを内側ケース１００内に収納し、更に当該内側ケース１００を外側ケース２００内に収納するため、マスクの収納作業及び収納したマスクをマスクケースから取り出す作業が煩雑であった。また、マスクを収納・取り出す都度、保護シートを廃棄しなければならない一方、ウイルスが付着している可能性のある保護シートは廃棄袋に入れて廃棄するか、持ち帰らなければならず、利便性が低い。一方、マスク、保護シート、内側ケース１００に加え、外側ケース２００内に予備の保護シート３００を配設する必要があるため、収納時のマスクケースが嵩張るという問題もあった。
【００１１】
本考案は斯かる事情に鑑みてなされたものであって、利便性が高く、収納及び取り出しがスムーズであり、マスクを収納しても嵩張らないマスクケースを提供する。
【課題を解決するための手段】
【００１２】
（１）本考案に係るマスクケースは、使用者の鼻口を被覆する横長のマスク本体の両短辺側縁にそれぞれ、使用者の耳に掛け廻す耳掛け部を設けてなるマスクを収納するマスクケースにおいて、両耳掛け部を突出させた状態で、前記マスク本体を二つ折り様態で収納するように構成された横長の収納部と、該収納部の一長辺側縁から延設され、マスク本体を二つ折り様態で収納した収納部を閉止する閉止部とを備え、前記収納部は幅方向の適宜位置で、当該収納部の両長辺側縁が互いに接近するように二つ折り可能になしてあり、収納部の二つ折りされた稜線上に、当該収納部にマスク本体が収納されたマスクの両耳掛け部を係止させる係止部が設けてあり、前記閉止部は、二つ折りされた収納部の両長辺側縁の間を覆うように屈曲可能に構成してあることを特徴とする。
【００１３】
本考案のマスクケースにあっては、使用者の鼻口を被覆する横長のマスク本体の両短辺側縁にそれぞれ、使用者の耳に掛け廻す耳掛け部を設けてなるマスクを収納する。即ち、本考案のマスクケースは、両耳掛け部を突出させた状態で、前記マスク本体を二つ折り様態で収納するように構成された横長の収納部と、この収納部の一長辺側縁から延設され、マスク本体を二つ折り様態で収納した収納部を閉止する閉止部とを備えている。
【００１４】
前述した収納部は、幅方向の適宜位置で、当該収納部の両長辺側縁が互いに接近するように二つ折り可能になしてあり、従って、かかる収納部に収納されたマスク本体は、横長を保った状態で二つ折りされ、その状態で収納部に挟持される。このように、マスク本体を収納した収納部の幅寸法はマスク本体の幅寸法の１／２程度であり、従って係る収納部を備えるマスクケースにあっては、使用者が着用したシャツの胸ポケット及び上着の内ポケット等に容易に出し入れすることができ、また、ハンドバッグ及びポシェット等の物入れ内に収納しても嵩張らない。
【００１５】
また、マスク本体を収納部内に、マスク本体の表面が収納部に当接するように収納した場合、マスク本体の裏面同士が対向するように二つ折りされるため、マスク本体の裏面がマスクケースに接触させることなく収納及び取り出すことができ、収納したマスク及びマスクケースを安全に複数回繰り返して使用することができる。
【００１６】
一方、収納部の二つ折りされた稜線上に、収納部にマスク本体が収納されたマスクの両耳掛け部を係止させる係止部が設けてあり、また、閉止部は、二つ折りされた収納部の両長辺側縁の間を覆うように屈曲可能に構成してある。このように収納部の両長辺側縁の間が閉止部によって覆われて閉止されるため、マスクケースの外から収納部内への埃等の侵入を可及的に防止することができる。また、収納部にマスク本体が収納されたマスクの両耳掛け部によって、二つ折りした収納部、及び収納部の両長辺側縁の間を覆うように屈曲された閉止部を挟持し、かかる状態で耳掛け部を係止部に係止させることによって、二つ折りした収納部、及び収納部の両長辺側縁の間を覆うように屈曲された閉止部がその状態に保持されるため、マスク本体を衛生的に収納保持することができる。
【００１７】
（２）本考案に係るマスクケースは、前記収納部は、前記マスク本体を挟持するための収納部本体の両短辺側縁にそれぞれ、マチ部を突設してなり、マチ部の前記稜線の延長線上には第１山折り部が、またマチ部と前記収納部本体との境界には第１谷折り部がそれぞれ設けてあり、収納部本体の前記稜線は第２谷折り部になしてあることを特徴とする。
【００１８】
本考案のマスクケースにあっては、前述した収納部は、マスク本体を挟持するための収納部本体の両短辺側縁にそれぞれ、マチ部を突設してなり、マチ部の前記稜線の延長線上には第１山折り部が、またマチ部と前記収納部本体との境界には第１谷折り部がそれぞれ設けてあり、収納部本体の前記稜線は第２谷折り部になしてある。
【００１９】
第１山折り部を山折りするとともに、第１谷折り部を谷折りすることによって、第１山折り部にてマチ部を二つ折りしつつ、第１谷折り部にて、二つ折りしたマチ部を収納部本体側へ折り畳む。そして、第２谷折り部を谷折りすることによって、収納部本体を二つ折りし、この二つ折りされた収納部本体によって、前述した如く二つ折りされたマチ部を挟持する。これによって、収納部に収納されたマスク本体は、当該収納部内でのズレが回避される。一方、二つ折りされた収納部の両短辺側縁は、両マチ部によって略覆われるため、外部から収納部内への埃等の侵入を可及的に防止することができる。
【００２０】
（３）本考案に係るマスクケースは、前記閉止部と収納部本体との境界に、前記第２谷折り部と平行をなす第３谷折り部及び第４谷折り部を設けて、マスク本体を二つ折り様態で収納した収納部における背部が形成してあることを特徴とする。
【００２１】
本考案のマスクケースにあっては、閉止部と収納部本体との境界に、第２谷折り部と平行をなす第３谷折り部及び第４谷折り部を設けて、マスク本体を二つ折り様態で収納した収納部における背部が形成してあるため、該背部によって、収納部に厚みが形成される。これによって、例えば、二つ折りした収納部本体の表面に、耳掛け部による凹凸が発生することが回避される。
【００２２】
（４）本考案に係るマスクケースは、前記閉止部の長辺側縁から適宜距離隔てた位置に、前記第２谷折り部と平行をなす第５谷折り部を設けて、使用者の指を係止するための指掛け部が屈曲可能に形成してあることを特徴とする。
【００２３】
本考案のマスクケースにあっては、前述した如く閉止部の長辺側縁から適宜距離隔てた位置に、前記第２谷折り部と平行をなす第５谷折り部を設けて、使用者の指を係止するための指掛け部が屈曲可能に形成してある。第５谷折り部にて指掛け部が屈曲されるため、使用者が、閉止部に設けた指掛け部に指を引っ掛けるだけで、収納部本体から閉止部を容易に離隔させることができる。一方、閉止部及び収納部本体は互いに離隔する方向へ立ち上がる際、屈曲された指掛け部による第５谷折り部に嵌合して、閉止部及び収納部本体の離隔動作が停止されるため、使用者が把持しているマスクケースが落下することが防止される。そして、使用者は第５谷折り部との嵌合から収納部本体を落ち着いて離脱させることができる。
【００２４】
（５）本考案に係るマスクケースは、前記収納部本体の両短辺側縁間の寸法は、収納部本体の両長辺側縁から第２谷折り部へ向かうに連れて漸次短くしてあり、前記マチ部は扇形状になしてあり、前記閉止部の両短辺側縁は、二つ折りされた収納部本体の第１谷折り部に一致するテーパになしてあることを特徴とする。
【００２５】
本考案のマスクケースにあっては、前述した如く収納部本体の両短辺側縁間の寸法は、収納部本体の両長辺側縁から第２谷折り部へ向かうに連れて漸次短くしてあり、また、マチ部は扇形状になしてあり、更に、閉止部の両短辺側縁は、二つ折りされた収納部本体の第１谷折り部に一致するテーパになしてある。これによって、二つ折りした収納部の両短辺側縁にテーパが形成され、また、収納部の両長辺側縁の間を覆うように屈曲された閉止部の両短辺側縁にもテーパが形成されるため、当該マスクケースをポケット内に挿入する際、角部がポケットに引っ掛かるということが無く、マスクケースをポケット内にスムーズに挿入することができる。
【００２６】
（６）本考案に係るマスクケースは、前記係止部は収納部本体を貫通する貫通孔にて構成してあることを特徴とする。
【００２７】
本考案のマスクケースにあっては、係止部は収納部本体を貫通する貫通孔にて構成してあるため、例えば打ち抜き操作によって係止部を容易に形成することができ、製造コストを可及的に低減することができる。
【００２８】
（７）本考案に係るマスクケースは、前記貫通孔の周縁であって、収納部本体の短辺側縁に対向する領域には、耳掛け部を係合させるための段差部、及び段差部への係合が解除された耳掛け部を貫通孔の外へ案内する案内部が設けてあることを特徴とする。
【００２９】
本考案のマスクケースにあっては、貫通孔の周縁であって、収納部本体の短辺側縁に対向する領域には、耳掛け部を係合させるための段差部、及び段差部への係合が解除された耳掛け部を貫通孔の外へ案内すべく、例えばテーパ状の案内部が設けてあるため、例えば、前述した指掛け部に指を掛けて閉止部に開く方向への力を印加しただけで、段差部と耳掛け部との係合が解除され、案内部によって当該耳掛け部が貫通孔から外へ案内される。これによって、係止部に係止させた耳掛け部をワンタッチで係止部から解除させることができる。
【図面の簡単な説明】
【００３０】
【図１】本考案に係るマスクケースの斜視図である。
【図２】図１に示したマスクケースの展開図である。
【図３】図１及び図２に示したマスクケースによってマスクを収納する手順を説明する説明図である。
【図４】図１及び図２に示したマスクケースによってマスクを収納する手順を説明する説明図である。
【図５】マスクケースに収納したマスクを取り出す手順を説明する説明図である。
【図６】本考案に係る他のマスクケースの部分拡大図である。
【図７】図６に示したマスクケースの使用状態を説明する説明図である。
【図８】特許文献１に開示されたマスクケースを収納するマスクと共に示す展開図である。
【考案を実施するための形態】
【００３１】
本考案に係るマスクケースを図面に基づいて詳述する。
なお、本実施の形態で説明するマスクケースは、本考案の趣旨を説明する一例であり、本考案はその趣旨を逸脱しない範囲での変形や改造を含むことはいうまでもない。
【００３２】
（考案を実施するための第１の形態）
図１は本考案に係るマスクケースの斜視図であり、図中、１は紙又は樹脂といった原料にて自立可能なシート状に成形してなるケース本体である。また、図２は図１に示したマスクケースの展開図である。なお、両図中、対応する部分には同じ番号が付してある。
【００３３】
図１及び図２に示したように、ケース本体１は、マスクを収納する収納部２を備えており、収納部２は後述するように、内部に収納したマスクを二つ折り状態で保持するようになしてある。
【００３４】
すなわち、収納部２は、マスクの幅寸法より少し大きい幅寸法の横長長方形の収納部本体３の両短辺側縁であって長辺側縁から所定寸法ずつ隔てた領域にそれぞれ、円弧片状の耳部３３，３３が突設してあり、収納部本体３の両短辺側縁であって両耳部３３，３３の基端部の両側にそれぞれ、マスクの耳掛け部を内嵌させる切欠き部６，６、６，６が設けてある。
【００３５】
収納部２の幅方向の中央であって、両短辺側縁から少し内側の位置から、両耳部３３，３３の頂点に亘る領域には、第１山折り部１０，１０がそれぞれ設けてあり、前記切欠き部６，６、６，６から第１山折り部１０，１０の収納部本体３側の始点位置に亘ってそれぞれ、第１谷折り部１１，１１、１１，１１が設けてある。そして、収納部本体３の第１谷折り部１１，１１、１１，１１より外側の領域、及び対応する耳部３３，３３によって、扇形のマチ部７，７がそれぞれ形成されている。
【００３６】
即ち、収納部本３の長手方向の寸法は、両長辺側縁から少し距離を隔てた箇所からそれぞれ、両長辺側縁の間の中央に向かうに連れて漸次短くなしてあり、収納部本３の両短辺側縁は互いに内側へ凹のく字状になっている。このく字状の部分に扇形のマチ部７，７がそれぞれ延設されている。
【００３７】
更に、収納部本体３であって、前述した両第１山折り部１０，１０の間の領域には第２谷折り部１２が、両耳部３３，３３の頂部を通る線分上に設けてあり、これによって収納部本体３には第２谷折り部１２を境に、長辺側縁部の側である第１領域３１と、後述する閉止部４に連通する側である第２領域３２とが形成されている。
【００３８】
このような収納部２にあっては、収納部本体３が第２谷折り部１２によって二つに谷折りされるのに伴って、両マチ部７，７は第１山折り部１０，１０によって二つに山折りされつつ、対応する第１谷折り部１１，１１、１１，１１によって谷折りされて、全体として収納部本体３側である内側へそれぞれ折り畳まれる。このとき、対向する第１谷折り部１１，１１、１１，１１は互いに重畳するため、二つ折りされた収納部２の両短辺側縁にはそれぞれテーパが形成される。
【００３９】
一方、収納部本体３の前記第２谷折り部１２上には、例えば四角形状の貫通孔５，５が第２谷折り部１２の両端からそれぞれ所定距離を隔てて開設してあり、両貫通孔５，５は後述するようにマスクの耳掛け部を係合させる係止部として機能する。
【００４０】
収納部本体３の第２領域３２には、収納部本体３を閉止するための閉止部４が延設してあり、閉止部４と収納部本体３との間には、収納部本体３の長辺側縁と平行をなす第３谷折り部１３、及び該第３谷折り部１３からマスクの厚さを超える程度の距離を隔てた第４谷折り部１４を設けて、収納部２の背を構成する背部３６になしてある。
【００４１】
前述した閉止部４の幅寸法は、収納部本体３の第１領域３１又は第２領域３２の幅寸法よりやや短くなしてある。この閉止部４は、収納部本体３の第２領域３２から延設された基部４１と、該基部４１から延設され、使用者の指を引っ掛けるための指掛け部４２とを具備している。これら基部４１と指掛け部４２との間には第５谷折り部１５が設けてあり、基部４１及び指掛け部４２は、第５谷折り部１５を谷折りすることによってへ字状に屈曲し得るようになっている。
【００４２】
基部４１の第４谷折り部１４側の領域は、前記収納部本体３の切欠き部６から対応する長辺側縁までの距離と略同じ距離に亘って、収納部本体３の長辺の長さ寸法と同じ長さ寸法になしてある。また、基部４１の他の領域の両端縁及び指掛け部４２の両端縁はそれぞれ、第３谷折り部１３側で対応する第１谷折り部１１，１１と線対称となるテーパ部４３，４３、４３，４３になしてある。後述するように、両マチ部７，７を第１山折り部１０，１０によって二つに山折りし、対応する第１谷折り部１１，１１、１１，１１によって谷折りして全体として収納部本体３の内側へ折り畳むと共に、収納部本体３を第２谷折り部１２によって二つに谷折りした場合、収納部本体３の両端縁は対向する第１谷折り部１１，１１、１１，１１が重畳した状態になり、この収納部本体３の一側部上に閉止部４が重畳するが、閉止部４は上述したような構成になっているため、閉止部４を構成する基部４１及び指掛け部４２のテーパ部４３，４３、４３，４３は、重畳した第１谷折り部１１，１１、１１，１１上に略一致するように畳重する。このとき、重畳したテーパ部４３，４３、４３，４３及び重畳した第１谷折り部１１，１１、１１，１１の部分はテーパになっている。
【００４３】
次に、このようなマスクケースによってマスクを収納する方法について説明する。
図３及び図４は、図１及び図２に示したマスクケースによってマスクを収納する手順を説明する説明図であり、図５はマスクケースに収納したマスクを取り出す手順を説明する説明図である。図３から図５において、図１及び図２に示した各部分に対応する部分には同じ番号を付してその説明を省略する。
【００４４】
本考案に係るマスクケースは、平板的な状態で包装等されていた場合であっても、前述したように第１〜第５谷折り部１１，１１、１１，１１、１２、１３、１４、１５及び第１山折り部１０が設けられているため、例えば両側縁に内側への力を印加することによって、図３（ａ）に示したように、収納部本体３が第２谷折り部１２によってやや谷状に二つ折りされ、両マチ部７，７が、第１山折り部１０，１０によってやや山状に二つ折りされると共に、対応する第１谷折り部１１，１１、１１，１１によって収納部本体３の内側へやや谷状に折り畳まれ、また、第５谷折り部１５の谷折りにて指掛け部４２がやや屈曲されるように、閉止部４が立ち上がった、初期状態になされる。
【００４５】
この初期状態のマスクケースの収納部２内に、マスクＭを構成する横長長方形状のマスク本体Ｍ１を、使用者の顔側とは反対側に配置される表面が収納部本体３内面に当接するように挿入し、また、マスク本体Ｍ１の両短辺側縁にそれぞれ設けられた耳掛け部Ｍ２，Ｍ２を、対応するマチ部７，７に外嵌させると共に、対応する切欠き部６，６、６，６（図２参照）に嵌合させる。これによって、マスク本体Ｍ１の裏面はマスクケースと接触しない状態に保持される。
【００４６】
このとき、マスクケースを台等の上に載置しておき、使用者はマスクＭの両耳掛け部Ｍ２，Ｍ２を両手指で保持し、その状態で、マスク本体Ｍ１を収納部本体３に挿入させ、また、耳掛け部Ｍ２，Ｍ２を、対応するマチ部７，７に外嵌させると共に、対応する切欠き部６，６、６，６に嵌合させることができる。これによって、使用者の手指がマスク本体Ｍ１に接触することなく、マスク本体Ｍ１を収納部本体３に挿入させることができる。
【００４７】
そして、使用者は、図３（ａ）に示したように、マスクケースを把持し、両マチ部７，７を第１山折り部１０，１０によって二つに山折りし、対応する第１谷折り部１１，１１、１１，１１によって谷折りして、収納部本体３の内側へ折り畳むと共に、収納部本体３を第２谷折り部１２（何れも図２参照）によって二つ折りすることによって、図３（ｂ）に示したように、収納部本体３の両短辺側縁を対向する第１谷折り部１１，１１、１１，１１が重畳した状態になし、更に、この収納部本体３の第１領域３１上に、第２領域３２から延設された閉止部４を、第３谷折り部１３及び第４谷折り部１４（何れも図２参照）によって略二つ折りすることによって、重畳させる。このとき、閉止部４を構成する基部４１及び指掛け部４２のテーパ部４３，４３、４３，４３は、重畳した第１谷折り部１１，１１、１１，１１上に一致するように畳重する。また、第３谷折り部１３及び第４谷折り部１４によって、収納部２の背となる背部３６が形成され、収納部２（何れも図２参照）に厚みが形成される。
【００４８】
これによって、収納部２内に収納されたマスク本体Ｍ１もその長手方向と直交する方向の略中央を通る軸上で二つ折りにされるが、当該マスク本体Ｍ１はその裏面同士が当接するように二つ折りされるため、マスク本体Ｍ１の裏面と収納部２との接触が防止され、マスク本体Ｍ１の裏面は収納部２に収納される直前の状態に保たれる。
【００４９】
また、前述したように両マチ部７，７は、第１山折り部１０，１０によって二つに山折りされると共に、対応する第１谷折り部１１，１１、１１，１１によって谷折りされて、収納部本体３の内側へ折り畳まれるが、収納部２内で二つ折りされたマスク本体Ｍ１は、両マチ部７，７と収納部本体３の第１領域３１及び第２領域３２との間に挟持されるため、収納部２内でのズレが回避される。一方、二つ折りされた収納部２の両短辺側縁は、両マチ部７，７によって略覆われるため、外部から収納部２内への埃等の侵入を可及的に防止することができる。また、収納部本体３の二つ折りされて重畳された両長辺側縁の間は、閉止部４にて閉止されるため、収納部本体３の重畳された両長辺側縁の間から収納部２内への埃等の侵入を防止することができる。
【００５０】
次に、使用者は、図４（ｃ）に示したように、収納部２が二つ折りされ、収納部本体３の重畳された両長辺側縁の間が閉止部４にて閉止された収納状態のマスクケースを把持し、マスクの前述した如く収納部２から突出した一方の耳掛け部Ｍ２を、それに近い側の貫通孔５に係合させる。このとき、当該耳掛け部Ｍ２にて、収納部本体３の第１領域３１及び第２領域３２（図２参照）並びに閉止部４を挟持させる。
【００５１】
同様に、使用者は、図４（ｄ）に示したように、マスクの他方の耳掛け部Ｍ２を、それに近い側の貫通孔５に係合させる。このとき、前同様、当該耳掛け部Ｍ２にて、収納部本体３の第１領域３１及び第２領域３２及び閉止部４を挟持させる。
【００５２】
このように、収納部２が二つ折りされ、収納部本体３の重畳された両長辺側縁の間が閉止部４にて閉止された収納状態のマスクケースの第２領域３２（図２参照）、及び閉止部４を、収納部２に収納されたマスクの両耳掛け部Ｍ２，Ｍ２にて挟持させるため、使用者が収納状態のマスクケースから手指を離した場合であっても、閉止部４が開くことが防止され、収納したマスクがマスクケースから落下しない。一方、マスクケースにマスクを収納し始めてから、当該マスクの収納が完了するまで、使用者はマスク本体１に一切触れることなく作業を行うことができ、マスク収納の全工程を衛生的に実施することができる。また、収納部２から突出した耳掛け部Ｍ２，Ｍ２を利用して、それらを対応する貫通孔５，５に係止させることによって、簡単な構成であって、しかも容易に閉止部４の開閉をロックすることができる。
【００５３】
前述した如く耳掛け部Ｍ２の基端側は、収納部本体３に設けた切欠き部６，６に嵌合してあるため、耳掛け部Ｍ２を貫通孔５に係合させる際、耳掛け部Ｍ２にズレが発生することが防止されるのに加え、これによって耳掛け部Ｍ２による閉止部４のロックが容易に外れることも防止される。
【００５４】
更に、本マスクケースの収納部２はそこに収納したマスク本体Ｍ１と共に、幅方向の略中央位置でマスク本体Ｍ１と略同じ厚さに二つ折りされるため、収納状態のマスクケースはスリムであり、使用者が着用したシャツの胸ポケット及び上着の内ポケット等に容易に出し入れすることができ、また、ハンドバッグ及びポシェット等の物入れ内に収納しても嵩張らない。また、収納状態のマスクケースにあっては、前述した如く短辺側縁にテーパが設けられているため、当該マスクケースをポケット内に挿入する際、スムーズに行うことができる。
【００５５】
このようにしてマスクを収納したマスクケースからマスクを取り出す場合、使用者は、前述した図４（ｄ）及び（ｃ）とは逆の操作を行って、両貫通孔５，５に係合させた耳掛け部Ｍ２，Ｍ２を片方ずつ、当該貫通孔５，５から取り外す。
【００５６】
次に、使用者は、図５（ｅ）に示した如く、マスクケースを把持した状態で、閉止部４の指掛け部４２に例えば親指を引っ掛けることによって、指掛け部４２及び基部４１を第５谷折り部１５にてへ字状に屈曲させる。そして、使用者が把持力を弱くすと、閉止部４及び収納部本体３の第１領域３１は互いに離隔する方向へ立ち上がって行くが、前述した如く指掛け部４２及び基部１がへ字状に屈曲しているため、図５（ｆ）に示した如く、第１領域３１の縁部がへ字状の第５谷折り部１５に嵌合したときに、閉止部４及び第１領域３１の離隔動作が停止される。
【００５７】
更に、使用者はマスクケースを把持した手指とは別の手指によって、第１領域３１を第５谷折り部１５との嵌合から離脱させ、更にマスクケースを図３（ａ）に示した初期状態になす。そして、使用者は、収納部本体３から突出した一方の耳掛け部Ｍ２を把持して、当該耳掛け部Ｍ２を切欠き部６，６から取り外した後、マスク本体Ｍ１を収納部本体３から脱離させ、更に、他方の耳掛け部Ｍ２を対応する切欠き部６，６から取り外すことによって、マスクケースからマスクＭを取り外す。
【００５８】
このようにしてマスクケースからマスクＭを取り出すと、使用者は当該マスクＭの一方の耳掛け部Ｍ２を把持したまま、他方の耳掛け部Ｍ２も把持し、その状態でマスク本体Ｍ１を自身の口鼻を覆うように装着し、両耳掛け部Ｍ２，Ｍ２を自身の両耳に外嵌させることによってマスクを再装着する。
【００５９】
このように、収納部本体３に当接された閉止部４をそこから離隔させる場合、第５谷折り部１５にて指掛け部４２及び基部４１がへ字状に屈曲されるため、使用者が、閉止部４に設けた指掛け部４２に指を引っ掛けるだけで、収納部本体３から閉止部４を容易に離隔させることができる。一方、閉止部４及び収納部本体３の第１領域３１は互いに離隔する方向へ立ち上がる際、へ字状になされた指掛け部４２及び基部４１の第５谷折り部１５に嵌合して、閉止部４及び第１領域３１の離隔動作が停止されるため、使用者が把持しているマスクケースが落下することが防止される。そして、使用者は第５谷折り部１５との嵌合から第１領域３１を落ち着いて離脱させることができる。
【００６０】
ところで、本考案に係るマスクケースにあっては、自立可能なシートにて一体的に成形してなるケース本体１を開閉可能に構成してあるため、繰り返し使用することが可能で、利便性が高く、また、マスクの収納及び取り出しを前述したようにスムーズに行うことができる。一方、本考案に係るマスクケースにあっては、使用済みのマスクを収納した状態（図４（ｄ）参照）で、当該マスクケース及びマスクをそのまま廃棄することができるため、使用済みのマスク及びマスクケースを袋等に格納することなく、それらを安全に廃棄することができる。なお、本考案に係るマスクケースは、不織布製のマスクと同じように使い捨てしてもよいし、例えば紫外線照射といった殺菌・殺ウイルス能を有する手段を用いて、ケース本体１の表面を処理することによって、異なるマスクについて複数回使用することもできる。
【００６１】
（考案を実施するための第２の形態）
図６は本考案に係る他のマスクケースの部分拡大図であり、図７は図６に示したマスクケースの使用状態を説明する説明図である。なお、両図中、図１から図５に示した部分に対応する部分には同じ番号を付してその説明を省略する。
【００６２】
図６に示したように、本マスクケースは、貫通孔５ａ，５ａの形状を異ならせた以外は、図１及び図２に示したマスクケースと同じ構成になしてある。
【００６３】
図６に示した如く、収納部本体３が二つ折りされた場合、第２谷折り部１２が収納部本体３の長辺側縁になるが、この収納部本体３の長辺側縁上に、二つ折りして形成された凹部状の貫通孔５ａ，５ａが設けられている。そして、これら貫通孔５ａ，５ａにあっては、凹部状の両内側壁部の内、収納部本体３の長手方向の中央側の内側壁部は、収納部本体３の長辺と直交するようになしてある一方、収納部本体３の両短辺側の内側壁部はそれぞれ、その深さ寸法が一段浅い段差部５ｂ，５ｂ、及び両段差部５ｂ，５ｂに続けて、収納部本体３の対向する短辺へ向かうに連れて浅くなるテーパ状の案内部５ｃ，５ｃになしてある。
【００６４】
このようなマスクケースにあっても前同様にしてマスクを収納するが、図７に示した如く、両貫通孔５ａ，５ａにそれぞれ挿入された耳掛け部Ｍ２，Ｍ２は、両段差部５ｂ，５ｂに係合するため、図１及び図２に示したマスクケースの貫通孔５，５からそこに係合された耳掛け部Ｍ２，Ｍ２を離隔させるために印加する力より弱い力で、段差部５ｂ，５ｂからそこに係合された耳掛け部Ｍ２，Ｍ２を離隔させることができる。
【００６５】
そのため、収納したマスクをマスクケースから取り出す場合、使用者が閉止部４の指掛け部４２に指を掛けて、当該閉止部４を収納部本体３から離隔させることによって、段差部５ｂ，５ｂに係合した耳掛け部Ｍ２，Ｍ２の係合を解除し得、係合が解除された耳掛け部Ｍ２，Ｍ２は案内部５ｃ，５ｃ上を摺動して貫通孔５ａ，５ａの外へ離脱される。このように、両耳掛け部Ｍ２，Ｍ２をワンタッチで貫通孔５ａ，５ａから取り外すことができる。
【００６６】
このとき、閉止部４の両短辺側縁及び二つ折りされた収納部本体３の両短辺側縁がいずれもテーパなっているため、貫通孔５ａ，５ａから離脱された両耳掛け部Ｍ２，Ｍ２は当該テーパに案内されて、閉止部４及び収納部本体３からスムーズに脱離される。
【００６７】
なお、図１に示したマスクケース及び図７に示したマスクケースのいずれにあっても、ケース本体１又は収納部本体３の少なくとも内面に、抗菌剤及び／又は抗ウイルス剤を塗布しておくと好適である。更に、両マスクケースの表面に防水剤を塗布しておくと、紙製のケース本体１であっても、雨又は汗等といった水分への耐性が向上するため好適である。
【符号の説明】
【００６８】
２    収納部
３    収納部本体
４    閉止部
５    貫通孔（係止部）
５ａ  貫通孔（係止部）
６    切欠き部
７    マチ部
１０    第１山折り部
１１    第１谷折り部
１２    第２谷折り部
１３    第３谷折り部
３１    第１領域
３２    第２領域
４１    基部
４２    指掛け部
Ｍ    マスク
Ｍ１  マスク本体
Ｍ２  耳掛け部
【図１】
0003228727.tif 000003
【図２】
0003228727.tif 000004
【図３】
0003228727.tif 000005
【図４】
0003228727.tif 000006
【図５】
0003228727.tif 000007
【図６】
0003228727.tif 000008
【図７】
0003228727.tif 000009
【図８】
0003228727.tif 000010